【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
液晶パネルの基板となる有機樹脂からなる長尺状の基板であって、厚さが１０μｍから２００μｍで、曲率半径が４０ｍｍ以下の可撓性を有し、熱膨張率が±５０ｐｐｍ／℃以下であるベースフィルムの少なくとも一方の面に、
少なくとも液晶素子の機能の一部をなす素子機能薄膜および光学機能を有する光学機能薄膜が形成されていることを特徴とする機能フィルム。
【請求項２】
前記素子機能薄膜および光学機能薄膜が、物理的成膜方法、化学的成膜方法、塗布法、貼り合わせまたは転写によって前記ベースフィルム上に形成された請求項１に記載の機能フィルム。
【請求項３】
前記素子機能薄膜および光学機能薄膜が、支持フィルム上に、物理的成膜方法、化学的成膜方法、塗布法、貼り合わせまたは転写によって形成された薄膜を転写法によりベースフィルム上に転写した請求項１に記載の機能フィルム。
【請求項４】
前記素子機能薄膜または光学機能薄膜を、前記支持フィルム上に、物理的成膜方法、化学的成膜方法、塗布法、貼り合わせまたは転写によって形成後、前記素子機能薄膜および光学機能薄膜上に、前記素子機能薄膜および光学機能薄膜を保護するカバーフィルムが形成されている請求項３に記載の機能フィルム。
【請求項５】
前記カバーフィルムが、ポリエステル、ポリエチレン、ポリプロピレン、ポリエチレンテレフタレートまたは、ポリビニルアルコールを含む請求項４に記載の機能フィルム。
【請求項６】
前記カバーフィルムとベースフィルムとの熱膨張係数の差が±３０％以下である請求項３に記載の機能フィルム。
【請求項７】
前記支持フィルムとベースフィルムとの熱膨張係数の差が±３０％以下である請求項４に記載の機能フィルム。
【請求項８】
前記光学機能薄膜が、少なくとも反射膜、カラーフィルタ、偏光膜、位相差膜、配向膜、反射防止膜、光拡散膜および視野角調整膜から選ばれた１以上の光学機能を有する薄膜である請求項１に記載の機能フィルム。
【請求項９】
前記反射膜の表面が凹凸面である請求項８の機能薄膜。
【請求項１０】
前記素子機能薄膜が、少なくとも液晶を駆動する薄膜トランジスタと画素電極を有する請求項１に記載の機能フィルム。
【請求項１１】
前記画素電極が透明電極又は、半透明電極である請求項１０に記載の機能フィルム。
【請求項１２】
前記トランジスタ層が、液晶パネルを駆動する周辺回路を含む請求項１０に記載の機能フィルム。
【請求項１３】
前記素子機能薄膜が、透明な対向電極である請求項１０に記載の機能フィルム。
【請求項１４】
前記素子機能薄膜が少なくとも平面発光素子または液晶素子の一部をなす請求項１に記載の機能フィルム。
【請求項１５】
前記素子機能薄膜が、透明な対向電極である請求項１４に記載の機能フィルム。
【請求項１６】
前記平面発光素子が、有機ＥＬ素子である請求項１４に記載の機能フィルム。
【請求項１７】
前記有機ＥＬ素子を形成する素子機能薄膜が反射電極と有機発光層と透明な電極である請求項１６に記載の機能フィルム。
【請求項１８】
前記ベースフィルムの前記有機ＥＬ素子に接する面に形成される反射膜は、少なくとも、前記有機ＥＬ素子の発光を反射し、前記有機ＥＬ素子の他方の面から該反射光を出射する請求項１６に記載の機能フィルム。
【請求項１９】
前記反射膜が有機ＥＬ素子の反射電極である請求項１８に記載の機能フィルム。
【請求項２０】
前記有機ＥＬ素子は、陽極と陰極との間に発光層を狭持している請求項１６に記載の機能フィルム。
【請求項２１】
前記陽極と接して正孔輸送層が設けられている請求項２０に記載の機能フィルム。
【請求項２２】
前記陰極と接して電子輸送層が設けられている請求項２０に記載の機能フィルム。
【請求項２３】
カラーフィルタを透過した前記有機ＥＬ素子の発光が白色を呈し、前記有機ＥＬ素子の発光波長が、カラーフィルタを構成する各色の分光透過特性内にある請求項１６の機能フィルム。
【請求項２４】
少なくとも２以上の発光極大波長を有する請求項２３の機能フィルム。
【請求項２５】
前記発光極大波長が赤色、緑色、青色である請求項２４の機能フィルム。
【請求項２６】
少なくとも発光極大波長の１つが燐光である請求項２４の機能フィルム。
【請求項２７】
燐光を発光する発光ホストが、カルバゾール誘導体、ビフェニル誘導体、スチリル誘導体、ベンゾフラン誘導体、チオフェン誘導体または、アリールシラン誘導体等の部分構造を単位として含むことを特徴とする請求項２６に記載の機能フィルム。
【請求項２８】
前記陽極が、Ａｕ、Ａｇ金属、ＣｕＩ、インジウムチンオキサイド（ＩＴＯ）、インジウムジンクオキサイド（ＩＺＯ）、ＳｎＯ2、ＧＺＯ（Ｇａ2Ｏ3添加ＺｎＯ）、Ｉｎ2Ｏ3またはＺｎＯを含む請求項２０に記載の機能フィルム。
【請求項２９】
前記陰極が、ナトリウム、ナトリウム−カリウム合金、マグネシウム、リチウム、マグネシウム／銀混合物、マグネシウム／アルミニウム混合物、マグネシウム／インジウム混合物、アルミニウム、アルミニウム／酸化アルミニウム混合物または、希土類金属である請求項２０に記載の機能フィルム。
【請求項３０】
前記陽極と前記ベースフィルムとの間に反射膜が形成されている請求項１８に記載の機能フィルム。
【請求項３１】
前記陽極は金属を含む前記反射膜と透明電極との積層膜である請求項３０に記載の機能フィルム。
【請求項３２】
前記金属を含む反射膜上に、絶縁膜を介して前記陽極が形成されている請求項３０に記載の機能フィルム。
【請求項３３】
前記有機ＥＬ素子を保護する保護膜が前記有機ＥＬ素子上に形成されている請求項１６に記載の機能フィルム。
【請求項３４】
前記保護膜は、少なくとも前記発光層の端面を覆っている請求項３３に記載の機能フィルム。
【請求項３５】
前記保護膜は、前記発光層の前記端面と前記フィルムに対向する側の電極に覆われていない面を覆っている請求項３３に記載の機能フィルム。
【請求項３６】
前記保護膜が、ＳｉＯ2、ＳｉＮ、Ａｌ2Ｏ3または、ＡｌＮを含む請求項３３に記載の機能フィルム。
【請求項３７】
請求項１４に記載の機能フィルムを含む裏面発光光源。
【請求項３８】
請求項３７に記載の機能フィルム上に光学機能薄膜が形成されている裏面発光光源。
【請求項３９】
前記光学機能薄膜が少なくとも偏光膜または、位相差膜である請求項３８に記載の裏面発光光源。
【請求項４０】
前記偏光膜は、ヨウ素および／または二色性染料を一軸方向に分子配向した高分子フィルムに配向吸着せしめた膜である請求項８に記載の機能フィルム。
【請求項４１】
前記偏光膜は、ヨウ素および／または二色性染料を含む樹脂をフィルム化した後、該フィルムを延伸することでヨウ素および／または二色性染料が一軸方向に配向した膜である請求項８に記載の機能フィルム。
【請求項４２】
前記樹脂が、ポリビニルアルコール、部分ホルマール化ポリビニルアルコール、エチレン・酢酸ビニル共重合体の部分ケン化ポリマーなどを含むポリビニルアルコール系樹脂、ポリオレフィン樹脂、アクリル樹脂、ＰＥＴ（ポリテレフタル酸エチレン）やＰＥＮ（ポリエチレンナフタレート）などのポリエステル樹脂、ポリアミド樹脂、ポリアミドイミド樹脂、ポリイミド樹脂、ポリカーボネート樹脂および、ポリサルホン樹脂からなる群から選らばれた樹脂を含む請求項４１に記載の機能フィルム。
【請求項４３】
前記位相差膜は、単官能アクリレート又はメタクリレートが式（１）
【化１】
2005292420.tif 000001
（式中、Ｘは水素原子又はメチル基を表し、６員環Ａ、Ｂ及びＣはそれぞれ独立的に、
【化２】
2005292420.tif 000002
を表し、ｎは０又は１の整数を表わし、ｍは１から４の整数を表し、Ｙ1及びＹ2はそれぞれ独立的に、単結合、−ＣＨ2ＣＨ2−、−ＣＨ2Ｏ−、−Ｏ  ＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ２Ｏ−、−Ｏ  ＣＨ2ＣＨ2ＣＨ2−、−ＣＨ＝ＣＨＣＨ2ＣＨ2−、−ＣＨ2ＣＨ２ＣＨ＝ＣＨ−を表し、Ｙ３は水素原子、ハロゲン原子、シアノ基、炭素原子数１から２０のアルキル基、アルコキシ基、アルケニル基又はアルケニルオキシ基を表す。）で表される重合性液晶組成物が硬化した膜である請求項８に記載の機能フィルム。
【請求項４４】
前記位相膜は、芳香族ポリイミドまたは、芳香族ポリアミドフィルム膜である請求項８に記載の機能フィルム。
【請求項４５】
前記芳香族ポリアミドが、式（２）を含む膜である請求項４４に記載の機能フィルム。
【化３】
2005292420.tif 000003
（Ａｒ１およびＡｒ２は、例えば、
【化４】
2005292420.tif 000004
フルオレン残基などが挙げられ、Ｘは、−Ｏ−、−ＣＨ2−、−ＣＯ−、−ＳＯ2−、−Ｓ−、−Ｃ（ＣＨ3）2−、−ＣＦ2−、−Ｃ（ＣＦ3）2−であらわせる。）
【請求項４６】
前記式（２）で表される繰り返し単位を５０モル％以上含むことを特徴とする請求項４５に記載の機能フィルム。
【請求項４７】
前記芳香族ポリアミドが、式（３）を含む膜である請求項４４に記載の機能フィルム。
【化５】
2005292420.tif 000005
（Ａｒ３は、例えば、
【化６】
2005292420.tif 000006
フルオレン残基などが挙げられ、Ｘは、−Ｏ−、−ＣＨ2−、−ＣＯ−、−ＳＯ2−、−Ｓ−、−Ｃ（ＣＨ3）2−、−ＣＦ2−、−Ｃ（ＣＦ3）2−であらわせる。）
【請求項４８】
前記式（３）で表される繰り返し単位を５０モル％以上含むことを特徴とする請求項４７に記載の機能フィルム。
【請求項４９】
前記式（２）または、式（３）の芳香環上の水素原子の一部が、フッ素、塩素、臭素などのハロゲン基、ニトロ基、およびメチル基、エチル基、プロピル基などのアルキル基、メトキシ基、エトキシ基、プロポキシ基、イソプロポキシ基などのアルコキシ基、ヒドロキシル基または、トリフルオロメチル基などの置換基で置換されている、または、重合体を構成するアミド結合中の水素が他の置換基によって置換されていることを特徴とする請求項４５または請求項４７に記載の機能フィルム。
【請求項５０】
前記芳香環がパラ配向位で結合されたものが、全芳香環の５０モル％以上であることを特徴とする請求項４９に記載の機能フィルム。
【請求項５１】
前記配向膜は、二色性染料が重合性基を有するアゾ染料の誘導体又は重合性基を有するアントラキノン染料の誘導体が硬化した膜である請求項８に記載の機能フィルム。
【請求項５２】
前記重合性基を有するアゾ染料の誘導体が、式（４）である請求項４９に記載の機能フィルム。
【化７】
2005292420.tif 000007
（式中、Ｒ1は各々独立して、水素原子、ハロゲン原子、カルボキシル基、ハロゲン化メチル基、ハロゲン化メトキシ基、シアノ基及び水酸基からなる群より選ばれる基を表す。Ｍは水素原子、アルカリ金属原子、又はＮＨ4を表す。Ｒ2は連結鎖を有していても良い重合性基を表す。）
【請求項５３】
前記重合性基を有するアントラキノン染料の誘導体が、式（５）である請求項５１に記載の機能フィルム。
【化８】
2005292420.tif 000008
（式中、Ｒ3は、各々独立して、少なくとも１つが連結鎖を有していても良い重合性基であり、かつ他のＲ3が水素原子、ハロゲン原子、水酸基、ニトロ基、スルホン酸基、スルホン酸塩基、ハロゲン化メチル基、シアノ基、アミノ基、ホルミル基、カルボキシル基、ピペリジノ基、および一般式（６）
【化９】
2005292420.tif 000009
（式中、Ｒ4は水素原子、アルキル基、シクロアルキル基、フェニル基、ピペリジノ基；及びこれらの基にアルキル基、シクロアルキル基、フェニル基、アルコキシル基、シクロアルコキシル基又は、フェノキシ基が結合した有機基を表す。）からなる群より選ばれる１つ以上の基を表す。）
【請求項５４】
前記二色性染料を含有する光配向材料の重合性基が、（メタ）アクリロイル基、（メタ）アクリルアミド基、ビニル基および、ビニルエーテル基からなる群から選ばれる１以上の基である請求項５１に記載の機能フィルム。
【請求項５５】
前記カラーフィルタ上に、プロテクトフィルムが積層されている請求項８に記載の機能フィルム。
【請求項５６】
前記プロテクトフィルムがポリエステル樹脂または、ポリエチレン樹脂を含むフィルムである請求項５５に記載の機能フィルム。
【請求項５７】
前記光学機能薄膜がカラーフィルタであって、前記カラーフィルタ上に、カバーフィルムが形成されている請求項８に記載の機能フィルム。
【請求項５８】
前記カバーフィルムは、自己粘着性のあるエチレンビニルアセテート樹脂を含む請求項５７に記載の機能フィルム。
【請求項５９】
前記カバーフィルムは前記カラーフィルタと接着剤を介して積層されている請求項５５に記載の機能フィルム。
【請求項６０】
前記接着剤はカバーフィルム上に形成されている請求項５９に記載の機能フィルム。
【請求項６１】
前記接着剤はアクリル樹脂を含む請求項５９に記載の機能フィルム。
【請求項６２】
前記機能フィルムの最上層が配向膜である請求項１に記載の機能フィルム。
【請求項６３】
前記機能フィルムは、前記ベースフィルムの表面の内側に形成され、前記ベースフィルムの長辺の端面側は、前記ベースフィルム面が露出している請求項２４に記載の機能フィルム。
【請求項６４】
請求項６０に記載の機能フィルムの配向膜を対向して配置し、前記配向膜の間隙に液晶を充填した液晶パネル。
【請求項６５】
請求項３７または３８に記載の裏面発光源を搭載した電子機器。
【請求項６６】
請求項６４に記載の液晶パネルを搭載した電子機器。
【請求項６７】
携帯用の電子機器である請求項６５または６６に記載の電子機器。
【請求項６８】
前記ベースフィルムは、無機フィラーが配合されている請求項１に記載の機能フィルム。
【請求項６９】
前記無機フィラーの粒径が１ｎｍ〜３８０ｎｍである請求項６８に記載の機能フィルム。
【請求項７０】
前記無機フィラーが酸化チタン、酸化亜鉛、アルミナまたは、酸化ケイ素を含む請求項６９に記載の機能フィルム。
【請求項７１】
前記無機フィラーが５重量％以上９０重量％以下である請求項７０に記載の機能フィルム。
【請求項７２】
前記ベースフィルムは、ヤング率が、１．５ＧＰａ以上である請求項１に記載の機能フィルム。
【請求項７３】
前記ベースフィルムは、２００℃の熱履歴に対し、機械的及び、光学的な特性の変化が±５％以下である請求項１に記載の機能フィルム。
【請求項７４】
前記ベースフィルムは、２５０℃の熱履歴に対し、機械的及び、光学的変化が±５％以下である請求項１に記載の機能フィルム。
【請求項７５】
前記ベースフィルムは、光透過率が、８０％以上である請求項１に記載の機能フィルム。
【請求項７６】
前記ベースフィルムは、アクリル樹脂または、環状オレフィン樹脂を含むことを特徴とする請求項１に記載の機能フィルム。
【請求項７７】
前記アクリル樹脂が、２官能以上好ましくは３官能以上のアクリル化合物またはメタクリル化合物である請求項７６に記載の機能フィルム。
【請求項７８】
前記２官能以上好ましくは３官能以上のアクリル化合物またはメタクリル化合物が、ビスフェノールＡジアクリレート、ビスフェノールＳジアクリレート、ジシクロペンタジエニルジアクリレート、ペンタエリスリトールトリアクリレート、トリス（２−ヒドロキシエチル）イソシアヌレートトリアクリレート、ペンタエリスリトールテトラアクリレート、ビスフェノールＡジメタクリレート、ビスフェノールＳジメタクリレート、ジシクロペンタジエニルジメタクリレート、ペンタエリスリトールトリメタクリレート、トリス（２−ヒドロキシエチル）イソシアヌレートトリメタクリレートおよび、ペンタエリスリトールテトラメタクリレートからなる群から選らばれた１以上の化合物を含む請求項７５に記載の機能フィルム。
【請求項７９】
環状オレフィン樹脂が、環状オレフィン化合物の付加（共）重合体、エチレンと環状オレフィン化合物との付加共重合体または、環状オレフィン化合物の開環（共）重合体の水素化体である請求項７６に記載の機能フィルム。
【請求項８０】
前記環状オレフィン化合物が、ビシクロ［２．２．１］ヘプタ−２−エン、５−メチル−ビシクロ［２．２．１］ヘプタ−２−エン、５−エチル−ビシクロ［２．２．１］ヘプタ−２−エン、５−プロピル−ビシクロ［２．２．１］ヘプタ−２−エン、５−ヘキシル−ビシクロ［２．２．１］ヘプタ−２−エン、５−デシル−ビシクロ［２．２．１］ヘプタ−２−エン、５，６−ジメチル−ビシクロ［２．２．１］ヘプタ−２−エン、５−メチル−５−エチル−ビシクロ［２．２．１］ヘプタ−２−エン、５−フェニル−ビシクロ［２．２．１］ヘプタ−２−エン、５−シクロヘキシル−ビシクロ［２．２．１］ヘプタ−２−エン、トリシクロ［４．３．０．１2,5］デカ−３−エン、テトラシクロ［４．４．０．１2,5１7,10］ドデカ−３−エン、３−メチル−テトラシクロ［４．４．０．１2,5１7,10］ドデカ−８−エン、３−エチル−テトラシクロ［４．４．０．１2,5１7,10］ドデカ−８−エン、２−メチル−ビシクロ［２．２．１］ヘプタ−５−エン−２−カルボン酸メチル、アクリル酸２−メチル−ビシクロ［２．２．１］ヘプタ−５−エン、メタクリル酸２−メチル−ビシクロ［２．２．１］ヘプタ−５−エン、ビシクロ［２．２．１］ヘプタ−５−エン−２，３−ジカルボン酸ジメチル、ビシクロ［２．２．１］ヘプタ−５−エン−２，３−ジカルボン酸ジエチル、３−メチル−３−メトキシカルボニル−テトラシクロ［４．４．０．１2,5１7,10］ドデカ−８−エン、ビシクロ［２．２．１］ヘプタ−５−エン−Ｎ−シクロヘキシル−２，３−マレインイミド、ビシクロ［２．２．１］ヘプタ−５−エン−２−スピロ−３’−Ｎ−フェニルサクシンイミド、ビシクロ［２．２．１］ヘプタ−５−エン−２−スピロ−３’−Ｎ−シクロヘキシルサクシンイミド、２−［（３−エチル−３−オキセタニル）メトキシ］ビシクロ［２．２．１］ヘプタ−５−エン、２−［（３−エチル−３−オキセタニル）メトキシメチル］ビシクロ［２．２．１］ヘプタ−５−エン、ビシクロ［２．２．１］ヘプタ−５−エン−２−カルボン酸（３−エチル−３−オキセタニル）メチル、５−トリエトキシシリル−ビシクロ［２．２．１］ヘプタ−２−エン、５−メチルジメトキシシリル−ビシクロ［２．２．１］ヘプタ−２−エン、５−［１’−メチル−２’，５’−ジオキサ−１’−シラシクロペンチル］−ビシクロ［２．２．１］ヘプタ−２−エン、５−［１’−メチル−３’，３’，４’，４’−テトラフェニル−２’，５’−ジオキサ−１’−シラシクロペンチル］−ビシクロ［２．２．１］ヘプタ−２−エン、５−［１’，４’，４’−トリメチル−２’および、６’−ジオキサ−１’−シラシクロヘキシル］−ビシクロ［２．２．１］ヘプタ−２−エンからなる群から選らばれた１以上の化合物を含む請求項７７に記載の機能フィルム。
【請求項８１】
前記ベースフィルムの少なくとも前記素子機能薄膜および光学機能薄膜を形成する面に酸素や水蒸気等の通常の空気の成分の進入を防止するガスバリア層を設けたことを特徴とする請求項１の機能フィルム。
【請求項８２】
前記ガスバリア層が、可視光に対して透明である請求項８１に記載の機能フィルム。
【請求項８３】
前記ガスバリア層が、ポリビニルアルコールを含む有機材料、前記有機材料と非晶質粘土鉱物または、結晶質粘土鉱物である請求項８２に記載の機能フィルム。
【請求項８４】
前記有機材料、前記有機材料と非晶質粘土鉱物または、結晶質粘土鉱物を含むガスバリア層が、２層以上の積層膜である請求項８３に記載の機能フィルム。